(57)【要約】【課題】  長尺原稿用紙を載置した際、長尺原稿用紙の垂れによる落下を防止するようにした画像形成装置における自動原稿搬送装置を提供する。【解決手段】給紙側補助トレイ１２が給紙側本体トレイ１１に対して、用紙搬送方向に伸縮自在となした給紙側原稿トレイ１０と、給紙側補助トレイ１２を伸縮させる給紙側伸縮作動装置１４と、給紙側補助トレイ１２の伸縮位置を検知する給紙側伸縮位置検知装置と、その給紙側伸縮位置検知装置により検知される給紙側補助トレイ１２の伸縮位置が、給紙側原稿トレイ１０に載せられる原稿用紙の搬送方向長さに、予め対応するように給紙側伸縮作動装置を伸縮作動させる伸縮制御手段とを備えることにより、長尺原稿用紙が給紙側原稿トレイ１０から垂れ落ちることもなく、汚れたり、傷ついたりすることを防止できる。【選択図】  図４
2008254835.tif 000002
【特許請求の範囲】
【請求項１】
給紙側本体トレイと給紙側補助トレイとを含み、該給紙側補助トレイが前記給紙側本体トレイに対して、用紙搬送方向に伸縮自在となした給紙側原稿トレイと、
前記給紙側原稿トレイの給紙側補助トレイを伸縮させる給紙側伸縮作動装置と、
前記給紙側原稿トレイの給紙側補助トレイの伸縮位置を検知する給紙側伸縮位置検知装置と、
その給紙側伸縮位置検知装置により検知される前記給紙側補助トレイの伸縮位置が、前記給紙側原稿トレイに載せられる原稿用紙の搬送方向長さに、予め対応するように給紙側伸縮作動装置を伸縮作動させる伸縮制御手段と、
を備えることを特徴とする画像形成装置における自動原稿搬送装置。
【請求項２】
前記給紙側原稿トレイに載せられる原稿用紙の有無を検知する給紙側用紙検知装置を備え、前記給紙側伸縮位置検知装置により検知される前記給紙側補助トレイの伸縮位置が、前記給紙側原稿トレイに載せられる原稿用紙の搬送方向長さに、予め対応するように給紙側伸縮作動装置を伸縮作動させるとともに、前記給紙側用紙検知装置により原稿用紙が検知されなくなったときに給紙側伸縮作動装置を作動させ、前記給紙側伸縮位置検知装置により検知される前記給紙側補助トレイの伸縮位置が伸縮原点に復帰するように前記伸縮作動装置を縮退作動させる給紙側伸縮制御手段と、を備えることを特徴とする請求項１記載の画像形成装置における自動原稿搬送装置。
【請求項３】
排紙側本体トレイと排紙側補助トレイとを含み、該排紙側補助トレイが前記排紙側本体トレイに対して、用紙搬送方向に伸縮自在となした排紙側原稿トレイと、
前記排紙側原稿トレイの排紙側補助トレイを伸縮させる排紙側伸縮作動装置と、
前記排紙側原稿トレイの排紙側補助トレイの伸縮位置を検知する排紙側伸縮位置検知装置と、
その排紙側伸縮位置検知装置により検知される前記排紙側補助トレイの伸縮位置が、前記排紙側原稿トレイに載せられる原稿用紙の搬送方向長さに、予め対応するように排紙側伸縮作動装置を伸縮作動させる伸縮制御手段と、
を備えることを特徴とする画像形成装置における自動原稿搬送装置。
【請求項４】
前記排紙側原稿トレイに載せられる原稿用紙の有無を検知する排紙側用紙検知装置を備え、前記排紙側伸縮位置検知装置により検知される前記排紙側補助トレイの伸縮位置が、前記排紙側原稿トレイに載せられる原稿用紙の搬送方向長さに、予め対応するように排紙側伸縮作動装置を伸縮作動させるとともに、前記排紙側用紙検知装置により原稿用紙が検知されなくなったときに排紙側伸縮作動装置を作動させ、前記排紙側伸縮位置検知装置により検知される前記排紙側補助トレイの伸縮位置が伸縮原点に復帰するように前記伸縮作動装置を縮退作動させる排紙側伸縮制御手段と、を備えることを特徴とする請求項３記載の画像形成装置における自動原稿搬送装置。
【請求項５】
請求項１又２記載の給紙側原稿トレイと、
請求項３又は４記載の排紙側原稿トレイと、
を備えることを特徴とする画像形成装置における自動原稿搬送装置。
【発明の詳細な説明】
【技術分野】
【０００１】
本発明は、給紙側原稿トレイ、排紙側原稿トレイを備える画像形成装置における自動原稿搬送装置に関する。
【背景技術】
【０００２】
従来から複写機などの画像形成装置には、複数枚よりなる原稿を連続してコピーする場合、給紙用の原稿給紙テーブル上に載置された原稿を順次１枚ずつ取り出し、画像情報の読取が完了した原稿を排紙用の原稿排紙テーブル上に排紙する自動原稿搬送装置が利用されている。
【０００３】
このような自動原稿搬送装置では、自身の小型化を図るために、各テーブルの大きさとしては、例えばＢ５判やＢ４判あるいはＡ４判のような定形サイズの原稿用紙を載置することができる必要最小限の大きさで形成されている。（特許文献１参照）
【０００４】
ところが、この各テーブル上に、例えばＡ３判サイズの長尺原稿用紙などを載置すると、長尺原稿用紙の後端がテーブルからはみ出して、その自重で垂れ落ちてしまうため、人為的に保持する必要がある問題を有している。
【０００５】
【特許文献１】特開平９−４６４７２７号公報
【発明の開示】
【発明が解決しようとする課題】
【０００６】
本発明の課題は、原稿用紙を積載するトレイに長尺原稿用紙を載置した際、長尺原稿用紙の垂れによる落下を防止するようにした画像形成装置における自動原稿搬送装置を提供することにある。
【課題を解決するための手段及び発明の効果】
【０００７】
上記課題を解決するために、本発明の画像形成装置における自動原稿搬送装置は、給紙側本体トレイと給紙側補助トレイとを含み、該給紙側補助トレイが前記給紙側本体トレイに対して、用紙搬送方向に伸縮自在となした給紙側原稿トレイと、前記給紙側原稿トレイの給紙側補助トレイを伸縮させる給紙側伸縮作動装置と、前記給紙側原稿トレイの給紙側補助トレイの伸縮位置を検知する給紙側伸縮位置検知装置と、その給紙側伸縮位置検知装置により検知される前記給紙側補助トレイの伸縮位置が、前記給紙側原稿トレイに載せられる原稿用紙の搬送方向長さに、予め対応するように給紙側伸縮作動装置を伸縮作動させる伸縮制御手段と、を備えることを特徴とする。
【０００８】
上記構成とすることにより、長尺原稿用紙が給紙側原稿トレイから垂れ落ちることもなく、汚れたり、傷ついたりすることを防止でき、さらに給紙側補助トレイの伸縮位置を長尺原稿用紙に合わせて自動で調整できるため、手間もかからず、かつ不必要に給紙側補助トレイが長くならないため、スペースを規制できる。
【０００９】
また、画像形成装置における自動原稿搬送装置は、上記構成に加えて、前記給紙側原稿トレイに載せられる原稿用紙の有無を検知する給紙側用紙検知装置を備え、前記が、前記給紙側原稿トレイに載せられる原稿用紙の搬送方向長さに、予め対応するように給紙側伸縮作動装置を伸縮作動させるとともに、前記給紙側用紙検知装置により原稿用紙が検知されなくなったときに給紙側伸縮作動装置を作動させ、前記給紙側伸縮位置検知装置により検知される前記給紙側補助トレイの伸縮位置が伸縮原点に復帰するように前記伸縮作動装置を縮退作動させる給紙側伸縮制御手段と、を備えることを特徴とする。
【００１０】
上記構成とすることにより、長尺原稿用紙を使用しないときには、給紙側補助トレイが伸縮原点に復帰しているため、定形サイズの原稿用紙を扱うときにも邪魔にならず、コンパクトな形態が維持できる。
【００１１】
また、画像形成装置における自動原稿搬送装置の給紙側原稿トレイと同様な機能を備える排紙側原稿トレイを備えることにより、排紙される長尺原稿用紙にあっても、排紙側原稿トレイから垂れ落ちることもなく、汚れたり、傷ついたりすることを防止でき、さらに排紙側補助トレイの伸縮位置を長尺原稿用紙に合わせて自動で調整できるため、手間もかからず、かつ不必要に排紙側補助トレイが長くならないため、スペースを規制できる。また、長尺原稿用紙を使用しないときには、排紙側補助トレイが伸縮原点に復帰しているため、定形サイズの原稿用紙を扱うときにも邪魔にならず、コンパクトな形態が維持できる。
【発明の実施の形態】
【００１２】
以下、本発明の実施の形態につき図面に示す実施例を参照して説明する。図１及び図２は本発明に係る画像形成装置における自動原稿搬送装置を示す外観斜視図、図３は自動原稿搬送装置を示す外観側面図である。図１において、画像形成装置１は複写機であり、主に複写機能を備える画像形成装置本体２と、主に原稿用紙Ｗの搬送機能を備える自動原稿搬送装置３で構成される。
【００１３】
自動原稿搬送装置３は画像形成装置本体２の後部側にヒンジ機構２ａを介して回動自在に設けられる。画像形成装置本体２の上面に設けれらたコンタクトガラス２ｂ上に原稿用紙Ｗを載置する際には、図２に示すように自動原稿搬送装置３を上方へ回動させ、その後は原稿用紙Ｗを押さえるために下方へ回動可能にしている。この上方へ回動させた状態は、任意位置で自由が規制された状態で保持されている。この自動原稿搬送装置３には、原稿用紙Ｗを積載させる給紙側原稿トレイ１０と、画像情報の読み取られた原稿用紙Ｗが排出されて積載される排紙側原稿トレイ２０とが上下方向の所定の間隔で配置され、給紙側原稿トレイ１０は用紙搬送方向Ｘの上流側に向って上方傾斜状に設けられ、排紙側原稿トレイ２０は、ほぼ水平状態で設けられる。
【００１４】
なお、自動原稿搬送装置３は、図３、４に示すようにピックアップローラ３ａによって、給紙側原稿トレイ１０に載置されている原稿用紙Ｗを一枚ずつ取り出し、自動原稿搬送装置３内に取り込み、搬送過程において原稿用紙Ｗの画像情報を読み取り、最終的に画像情報が読み取られた原稿用紙Ｗを排紙側原稿トレイ２０上に排出する機能を備えている。
【００１５】
給紙側原稿トレイ１０は、固定して配置される給紙側本体トレイ１１と、該給紙側本体トレイ１１の内方に収納され、用紙搬送方向Ｘにおける前後に伸縮自在に設けられる給紙側補助トレイ１２とを備えている。なお給紙側原稿トレイ１０には、用紙搬送方向Ｘと直交する方向に原稿用紙Ｗの位置ずれを規制するためのサイドガイド１０ａが設けられている。
また、給紙側補助トレイ１２が給紙側本体トレイ１１内に収納されている状態での該給紙側本体トレイ１１における用紙搬送方向Ｘに対する載置長さＬ１としては、ＪＩＳ規格によるＡ４判を定形サイズの原稿用紙Ｗとする場合、この原稿用紙Ｗの長手方向を用紙搬送方向Ｘに沿って載置するときに、原稿用紙Ｗの長手方向の長さより適宜長くして、安定載置可能にしている。
【００１６】
給紙側補助トレイ１２は図５に示すように、第一補助トレイ１２ａと第二補助トレイ１２ｂから構成される。第一補助トレイ１２ａは給紙側本体トレイ１１内に収納される。この第一補助トレイ１２ａは給紙側本体トレイ１１に対して用紙搬送方向Ｘで出入りするように伸縮自在に設けられる。また、第二補助トレイ１２ｂは第一補助トレイ１２ａ内に収容される。この第二補助トレイ１２ｂは第二補助トレイ１２ａに対して用紙搬送方向Ｘで出入りするように伸縮自在に設けられる。
【００１７】
このように、２体の第一補助トレイ１２ａ、第二補助トレイ１２ｂから構成される給紙側補助トレイ１２が給紙側本体トレイ１１から用紙搬送方向Ｘの上流側に最大長さで伸長された状態では、定形サイズ（Ａ４判）の原稿用紙Ｗに対して第一補助トレイ１２ａ、第二補助トレイ１２ｂのそれぞれの長さを給紙側本体トレイ１１の載置長さＬ１と、ほぼ等しくすれば約３倍程度の長さまでトレイ全長Ｌ２が伸びるようにしている。なお、第一補助トレイ１２ａ、第二補助トレイ１２ｂは２体で構成するも、この構成には限定されず、１体や、３体以上でも可能である。
【００１８】
給紙側原稿トレイ１０には、給紙側補助トレイ１２の第一補助トレイ１２ａ、第二補助トレイ１２ｂが最大長さで伸長された状態を保持するための給紙側伸長保持部１３が設けられる。また、給紙側原稿トレイ１０には、給紙側補助トレイ１２の第一補助トレイ１２ａ、第二補助トレイ１２ｂを最大長さまで伸長させたり、給紙側本体トレイ１１内に、給紙側補助トレイ１２の第一補助トレイ１２ａ、第二補助トレイ１２ｂを収納させるために縮退させるように作動させるための給紙側伸縮作動装置１４が設けられる。
【００１９】
給紙側伸長保持部１３は、図６に示すように、給紙側本体トレイ１１、第一補助トレイ１２ａにおいて、用紙搬送方向Ｘにおける上流側の端部に配設された給紙側係合凹部１３ａと、用紙搬送方向Ｘにおける下流側の端部に配設された給紙側係合凸部１３ｂから構成される。この給紙側伸長保持部１３の給紙側係合凹部１３ａと給紙側係合凸部１３ｂは、給紙側本体トレイ１１内に第一補助トレイ１２ａ、第二補助トレイ１２ｂを収納させる状態では係合しなく、最大長さに伸長された状態で係合する。
そして、この係合状態は給紙側伸縮作動装置１４による第一補助トレイ１２ａ、第二補助トレイ１２ｂを移動させるための操作力でスムーズに係合される。なお、第一補助トレイ１２ａ、第二補助トレイ１２ｂがその自重や、給紙側伸縮作動装置１４による操作力より小さな外力などによっては係合状態が解除されないようにしている。また、この給紙側係合凹部１３ａと給紙側係合凸部１３ｂによる給紙側伸長保持部１３の他の例としては、図７に示すように給紙側マグネット１３ｃの吸着力を利用することも可能である。
【００２０】
給紙側伸縮作動装置１４は、図８に示すように、第一及び第二ラックレール１５ａ、１５ｂと、該第一及び第二ラックレール１５ａ、１５ｂに噛み合う第一及び第二ピニオンギア１６ａ、１６ｂと、該第一及び第二ピニオンギア１６ａ、１６ｂに連結される第一及び第二駆動モータ１７ａ、１７ｂを備えている。
第一及び第二駆動モータ１７ａ、１７ｂは、給紙側本体トレイ１１側に固定して設けられる。第一及び第二駆動モータ１７ａ、１７ｂには、第一及び第二回転軸１８ａ、１８ｂがそれぞれ連結される。該第一及び第二回転軸１８ａ、１８ｂは、用紙搬送方向Ｘと直交し、かつ同軸上に配置されて回転自在に枢支されるようにして、給紙側本体トレイ１１に設けられる。
【００２１】
第一及び第二回転軸１８ａ、１８ｂには、第一及び第二ピニオンギア１６ａ、１６ｂがそれぞれ固定される。この第一ピニオンギア１６ａと噛み合う第一ラックレール１５ａは、用紙搬送方向Ｘにそって第一補助トレイ１２ａ側に固定して設けられる。また、第二ピニオンギア１６ｂと噛み合う第二ラックレール１５ｂは、用紙搬送方向Ｘにそって第二補助トレイ１２ｂ側に固定して設けられる。
【００２２】
この第二ラックレール１５ｂは、第一補助トレイ１２ａ内に第二補助トレイ１２ｂが収納されている状態では、第二ピニオンギア１６ｂと噛み合い状態が維持される。一方、第二補助トレイ１２ｂが第一補助トレイ１２ａから最大長さに伸長された状態（給紙側伸長保持部１３の給紙側係合凹部１３ａと給紙側係合凸部１３ｂが係合する状態）では、図９に示すように、第二ピニオンギア１６ｂが第二ラックレール１５ｂから外れた状態となったり、あるいは第二ピニオンギア１６ｂを回転させる第二駆動モータ１７ｂが非駆動時の状態で自由回転が可能であれば、第二ラックレール１５ｂと第二ピニオンギア１６ｂは、噛み合い状態が維持された状態でもよい。
【００２３】
また、第一ラックレール１５ａは、給紙側本体トレイ１１内に第一補助トレイ１２ａが収納されている状態や、第一補助トレイ１２ａが給紙側本体トレイ１１から最大長さに伸長された状態（給紙側伸長保持部１３の給紙側係合凹部１３ａと給紙側係合凸部１３ｂが係合する状態）にかかわらず、常に第一ピニオンギア１６ａとの噛み合い状態が維持される。
【００２４】
このように構成された給紙側伸縮作動装置１４による伸長作動としては、第二駆動モータ１７ｂが回転駆動されると、第二ピニオンギヤ１６ｂと噛合する第二ラックレール１５ｂが用紙搬送方向Ｘの上流側に移動される。これによって、第二ラックレール１５ｂを固定した第二補助トレイ１２ｂが第一補助トレイ１２ａから所定量で伸長される。この伸長量が最大のときには、給紙側伸長保持部１３の給紙側係合凹部１３ａと給紙側係合凸部１３ｂとの係合によって、この状態が保持される。その後、第一駆動モータ１７ａが回転駆動されると、第一ピニオンギヤ１６ａと噛合する第一ラックレール１５ａが用紙搬送方向Ｘの上流側に移動される。これによって、第一ラックレール１５ａを固定した第一補助トレイ１２ａが給紙側本体トレイ１１から所定量で伸長される。この伸長初期時には、第二ラックレール１５ｂと第二ピニオンギア１６ｂとが噛み合っていても、第二駆動モータ１７ｂが非駆動時であれば何ら支障なく、第一補助トレイ１２ａが伸長される。また、伸長量が最大のときには、給紙側伸長保持部１３の給紙側係合凹部１３ａと給紙側係合凸部１３ｂとの係合によって、この状態が保持される。
【００２５】
また、給紙側伸縮作動装置１４による縮退作動としては、第一駆動モータ１７ａが伸長時とは逆方向に回転駆動されると、第一ピニオンギヤ１６ａと噛合する第一ラックレール１５ａが用紙搬送方向Ｘの下流側に移動される。これによって第一ラックレール１５ａを固定した第一補助トレイ１２ａが給紙側本体トレイ１１内に収納される。その後、第二駆動モータ１７ｂが伸長時とは逆方向に回転駆動されると、第二ピニオンギヤ１６ｂと噛合する第二ラックレール１５ｂが用紙搬送方向Ｘの下流側に移動される。これによって第二ラックレール１５ｂを固定した第二補助トレイ１２ｂが第一補助トレイ１２ａに収納される。
【００２６】
給紙側本体トレイ１１には、図１０に示すように、給紙側本体トレイ１１内に収納される第一補助トレイ１２ａ、第二補助トレイ１２ｂの位置を検出する給紙側伸縮位置検知装置としての給紙側トレイ位置センサ１１ａ、１１ｂが設けられる。該給紙側トレイ位置センサ１１ａ、１１ｂは給紙側本体トレイ１１における用紙搬送方向Ｘでの両端側に配置される。
給紙側トレイ位置センサ１１ａは給紙本体トレイ１１内の用紙搬送方向Ｘの下流側に設けられ、第二補助トレイ１２ｂが第一補助トレイ１２ａから伸長されたか否かを検出する機能を備え、第二補助トレイ１２ｂが第一補助トレイ１２ａ内に収納されているときには、検出信号が出力され（ＯＮ信号）、収納されていないときには、検出信号を出力しない（ＯＦＦ信号）ように機能する。
給紙側トレイ位置センサ１１ｂは、給紙側本体トレイ１１内の用紙搬送方向Ｘの上流側に設けられ、第一補助トレイ１２ａが給紙側本体トレイ１１から伸長されたか否かを検出する機能を備え、第一補助トレイ１２ａが給紙側本体トレイ１１内に収容されているときには、検出信号が出力され（ＯＮ信号）、収容されていないときには、検出信号を出力しない（ＯＦＦ信号）ように機能する。
【００２７】
給紙側本体トレイ１１には、図１０に示すように、給紙側本体トレイ１１に載置される原稿用紙Ｗの有無を検知する給紙側用紙検知装置としての給紙側原稿感知センサ１９が設けられる。該給紙側原稿感知センサ１９は給紙側本体トレイ１１における用紙搬送方向Ｘでの下流側に配置される。給紙側原稿感知センサ１９によって給紙側本体トレイ１１上に載置されている原稿用紙Ｗが検知されたときに検出信号が出力（ＯＮ信号）され、検出されないときには、検出信号を出力しない（ＯＦＦ信号）ように機能する。
【００２８】
つぎに、給紙側伸縮作動装置１４を伸長作動させる伸縮制御手段としての給紙側伸縮制御手段１９は、図８に示すように、給紙側伸縮位置検知装置としての給紙側トレイ位置センサ１１ａ、１１ｂと、第一及び第二駆動モータと電気的に接続される。
また、給紙側トレイ位置センサ１１ａ、１１ｂにより検知される給紙側補助トレイ１２における第一補助トレイ１２ａ、第二補助トレイ１２ｂの伸縮位置が検出信号（ＯＮ信号又はＯＦＦ信号）として給紙側伸縮制御手段１９に入力される。また、給紙側原稿感知センサ１９により検知された原稿載置状態が検出信号（ＯＮ信号又はＯＦＦ信号）として入力される。
給紙側原稿トレイ１０のトレイ全長Ｌ２を、この給紙側原稿トレイ１０上に載せられるべき、用紙としての定形サイズ（Ａ４判）の原稿用紙Ｗに対して長尺である長尺原稿用紙Ｗ１（例えば、Ａ３判、Ｂ３判）の長さに予め対応するように第一及び第二駆動モータ１７ａ、１７ｂを回転作動させて第一補助トレイ１２ａ、第二補助トレイ１２ｂを伸長させる。
【００２９】
長尺原稿用紙Ｗ１（例えばＡ３判）を給紙側原稿トレイ１０上に載置するには、予め不定形サイズの使用を選択した後に、長尺原稿用紙Ｗ１（例えばＡ３判）の使用を選択すると、給紙側伸縮制御手段１９によって給紙側原稿トレイ１０上の用紙の有無を給紙側原稿感知センサ１９によって確認し、「有」と判断した場合には、長尺原稿用紙Ｗ１（例えばＡ３判）の長さに予め対応するように第一及び第二駆動モータ１７ａ、１７ｂを回転作動させて第一補助トレイ１２ａ、第二補助トレイ１２ｂを伸長させて給紙側本体トレイ１１から飛ぶ出させ、給紙側原稿トレイ１０のトレイ全長Ｌ２を伸長させる。また、長尺原稿用紙Ｗ１が搬送されて給紙側原稿トレイ１０上の用紙が「無」と判断された場合には、第一及び第二駆動モータ１７ａ、１７ｂを回転作動させて第一補助トレイ１２ａ、第二補助トレイ１２ｂを縮退させて給紙側本体トレイ１１内に収納させて給紙側原稿トレイ１０のトレイ全長Ｌ２を元に戻すように、給紙側補助トレイ１２の伸縮位置を伸縮原点（給紙側原稿トレイ１０内へ収納）に復帰するよう制御させている。
【００３０】
この給紙側伸縮作動装置１４による伸縮制御においては、給紙側トレイ位置センサ１１ａ、１１ｂの両検出信号のＯＮ信号を条件にして第一補助トレイ１２ａ、第二補助トレイ１２ｂは縮退制御される。また、給紙側トレイ位置センサ１１ａ、１１ｂの両検出信号のＯＦＦ信号を条件にして第一補助トレイ１２ａ、第二補助トレイ１２ｂは伸長制御される。また、給紙側トレイ位置センサ１１ａ、１１ｂの検出信号がＯＮ信号、ＯＦＦ信号の両者であることを条件として縮退又は伸長制御される。
【００３１】
つぎに、排紙側原稿トレイ２０としては、給紙側原稿トレイ１０と同様に構成されるため、位置関係や、機能などの詳細な説明は省略し、給紙側原稿トレイ１０と排紙側原稿トレイ２０との構成部材の対応関係について説明する。図１１は、排紙側原稿トレイを示す図、図１２は排紙側原稿トレイの伸長係合部を示す図、図１３は排紙側原稿トレイの他の例の伸長係合部を示す図、図１４は排紙側原稿トレイの伸縮作動装置を示す説明図、図１５は排紙側の伸縮作動装置のラックレールとピニオンギヤの噛合状態を示す図、図１６は排紙側原稿トレイの各センサの配置を示す図である。
【００３２】
図１１において、排紙側原稿トレイ２０は、給紙側原稿トレイ１０の給紙側本体トレイ１１、給紙側補助トレイ１２、第一補助トレイ１２ａ、第二補助トレイ１２ｂに相当する、排紙側本体トレイ２１、排紙側補助トレイ２２、第三補助トレイ２２ａ、第四補助トレイ２２ｂを備えている。
【００３３】
図１２及び図１３において、排紙側本体トレイ２１は、給紙側本体トレイ１１、第一補助トレイ１２ａにおける給紙側係合凹部１３ａ及び給紙側係合凸部１３ｂ、又は給紙側マグネット１３ｃから構成される給紙側伸長保持部１３に相当する、排紙側係合凹部２３ａ及び排紙側係合凸部２３ｂ、又は排紙側マグネット２３ｃから構成される排紙側伸長保持部２３を備えている。
【００３４】
図１４において、排紙側本体トレイ２１は、給紙側本体トレイ１１の第一及び第二ラックレール１５ａ、１５ｂと、第一及び第二ピニオンギア１６ａ、１６ｂと、第一及び第二駆動モータ１７ａ、１７ｂと、第一及び第二回転軸１８ａ、１８ｂから構成される給紙側伸縮作動装置１４に相当する、第三及び第四ラックレール２５ａ、２５ｂと、第三及び第四ピニオンギア２６ａ、２６ｂと、第三及び第四駆動モータ２７ａ、２７ｂと、第三及び第四回転軸２８ａ、２８ｂから構成される排紙側伸縮作動装置２４を備えている。また、給紙側伸縮作動装置１４を伸長作動させる給紙側伸縮制御手段１９に相当する、排紙側伸縮作動装置２４を伸長作動させる排紙側伸縮制御手段２９を備えている。
【００３５】
図１５において、排紙側伸縮作動装置２４の第四ピニオンギア２６ｂが第四ラックレール２５ｂから外れた状態となったり、あるいは第四ピニオンギア２６ｂを回転させる第四駆動モータ２７ｂが非駆動時の状態で自由回転が可能であれば、第四ラックレール２５ｂと第四ピニオンギア２６ｂは、噛み合い状態が維持された状態でもよい。
【００３６】
図１６において、排紙側本体トレイ２１は、給紙側本体トレイ１１の伸縮位置検知装置として設けられる給紙側トレイ位置センサ１１ａ、１１ｂと、用紙検知装置として設けられる給紙側原稿感知センサ１９に相当する、排紙側トレイ位置センサ２１ａ、２１ｂと、用紙検知装置として設けられる排紙側原稿感知センサ２９を備えている。
【図面の簡単な説明】
【００３７】
【図１】本発明に係る画像形成装置における自動原稿搬送装置を示す外観斜視図。
【図２】その画像形成装置における自動原稿搬送装置を示す外観斜視図。
【図３】自動原稿搬送装置を示す外観側面図。
【図４】自動原稿搬送装置の部分斜視図。
【図５】給紙側原稿トレイを示す図。
【図６】給紙側原稿トレイの伸長係合部を示す図。
【図７】給紙側原稿トレイの他の例の伸長係合部を示す図。
【図８】給紙側原稿トレイの伸縮作動装置を示す説明図。
【図９】伸縮作動装置のラックレールとピニオンギヤの噛合状態を示す図。
【図１０】給紙側原稿トレイの各センサの配置を示す図。
【図１１】排紙側原稿トレイを示す図。
【図１２】排紙側原稿トレイの伸長係合部を示す図。
【図１３】排紙側原稿トレイの他の例の伸長係合部を示す図。
【図１４】排紙側原稿トレイの伸縮作動装置を示す説明図。
【図１５】排紙側原稿伸縮作動装置のラックレールとピニオンギヤの噛合状態を示す図。
【図１６】給紙側原稿トレイの各センサの配置を示す図。
【符号の説明】
【００３８】
１                  画像形成装置
３                  自動原稿搬送装置
１０                給紙側原稿トレイ
１１                給紙側本体トレイ
１１ａ、１１ｂ      給紙側トレイ位置センサ（伸縮位置検知装置）
１２                給紙側補助トレイ
１４                給紙側伸縮作動装置
１９                給紙側原稿感知センサ（用紙検知装置）
２０                排紙側原稿トレイ
２１                排紙側本体トレイ
２１ａ、２１ｂ      排紙側トレイ位置センサ（伸縮位置検知装置）
２２                排紙側補助トレイ
２４                排紙側伸縮作動装置
２９                排紙側原稿感知センサ（用紙検知装置）
Ｗ                  原稿用紙
Ｘ                  用紙搬送方向
【図１】
2008254835.tif 000003
【図２】
2008254835.tif 000004
【図３】
2008254835.tif 000005
【図４】
2008254835.tif 000006
【図５】
2008254835.tif 000007
【図６】
2008254835.tif 000008
【図７】
2008254835.tif 000009
【図８】
2008254835.tif 000010
【図９】
2008254835.tif 000011
【図１０】
2008254835.tif 000012
【図１１】
2008254835.tif 000013
【図１２】
2008254835.tif 000014
【図１３】
2008254835.tif 000015
【図１４】
2008254835.tif 000016
【図１５】
2008254835.tif 000017
【図１６】
2008254835.tif 000018